(57)【特許請求の範囲】
【請求項１】
広色域の表色系で取得した映像におけるハイライト部の黄色の色度点を、該広色域の表色系よりも色域が狭い狭色域の表色系の映像における、対応する黄色の色度点に変換する色域変換装置において、
前記広色域の表色系における黄色の色度点を、CIELAB色空間のａ*-ｂ*平面における色度点として設定し、該設定された色度点のａ*値を該ａ*-ｂ*平面上で所定値だけ変化させて、所定のシフト点に移動せしめる色度点移動手段と、
該色度点移動手段によって移動された前記所定のシフト点を、該シフト点および前記ａ*-ｂ*平面における原点を結ぶ同一位相直線と、前記狭色域の外形線との交点に移動せしめて、前記狭色域の対応する黄色の色度点として設定する狭色域対応点変換手段と、
を備えていることを特徴とする色域変換装置。
【請求項２】
前記色度点移動手段は、前記広色域の黄色の色度点の明度が所定の値以上のハイライト部である該色度点を移動させるように構成されていることを特徴とする請求項１記載の色域変換装置。
【請求項３】
前記色度点移動手段による、前記広色域の黄色の色度点の前記所定のシフト点までの移動量が下式（Ｃ１）で表されることを特徴とする請求項１または２記載の色域変換装置。
Ｐ≒−ｋｂ（tan（(α-90)-tan(β-90))      （Ｃ１）
ここで、ｂは、シフト点のｂ*値であり、ｋは、スケーリングファクタであり、
αは、広色域黄色の色相角であり、βは、狭色域黄色の色相角である。
【請求項４】
前記広色域がスーパーハイビジョンの色域であり、前記狭色域がハイビジョンの色域であることを特徴とする請求項１〜３のうちいずれか１項記載の色域変換装置。
【請求項５】
広色域の表色系で取得した映像におけるハイライト部の黄色の色度点を、該広色域の表色系よりも色域が狭い狭色域の表色系の映像における、対応する黄色の色度点に変換する場合に、
前記広色域の表色系における黄色の色度点を、CIELAB色空間のａ*-ｂ*平面における色度点として設定し、該設定された色度点のａ*値を該ａ*-ｂ*平面上で所定値だけ変化させて、所定のシフト点に移動せしめ、
この後、該所定のシフト点と前記ａ*-ｂ*平面における原点とを結ぶ同一位相直線と、前記狭色域の外形線との交点を、狭色域の対応する黄色の色度点として設定することを特徴とする色域変換方法。
【発明の詳細な説明】
【技術分野】
【０００１】
スーパーハイビジョンに代表される広色域表色系で撮影した映像を、それよりも狭色域表色系のハイビジョン映像などに変換（ダウンコンバート）する色域変換装置および色域変換方法に関するものである。
【背景技術】
【０００２】
スーパーハイビジョン（以下、省略するときはＳＨＶと称する）では、３原色がスペクトル軌跡上に位置した広色域表色系を用いることがITU-R勧告BT.2020（以下、Rec.2020と称する）に規定されている。一方、ハイビジョン（以下、省略するときはＨＶと称する）では、ITU-R勧告BT.709（以下、Rec.709）で定められた、ＳＨＶよりも狭い色域の表色系を用いている。このため、ＳＨＶ映像をＨＶ映像にコンバートする際に色域変換が必要となる。
【０００３】
広色域から狭色域に変換する最も単純な方法として、広い色域には含まれるが狭い色域からは外れるRGB値を、狭い色域の所定値にクリップする手法が知られている。これは、広色域のRGB値に所定の3×3リニアマトリクスを掛けて狭色域RGB値に変換した後に、レンジ外の値（例えば、8bitレベルで16以上254以下の値）をレンジ端値にクリップする（例えば、16や254に設定する）手法である。
しかし、この手法は知覚的な色空間における変換ではないため、変換後の映像の色相や明度の変化を伴い不自然な画像になる場合がある。
【０００４】
より映像品質を重視した変換手法においては、明度、彩度および色相が予測できる色空間モデルを用いる。一般的には広色域のRGB値をCIELAB等の知覚的均等色空間における値に変換し、色相を一定に保持しつつ彩度を下げて、狭色域の色空間内にマッピングする変換を行う（非特許文献１を参照）。
【０００５】
ここで、CIELAB色空間における、上記色域変換の例を図６に示す。
なお、図６（ａ）は横軸に彩度Ｃ*をとり、縦軸に明度Ｌ*をとった場合の座標系を示すものであり、図６（ｂ）は横軸にａ*をとり、縦軸にｂ*をとった場合の座標系を示すものである。
【先行技術文献】
【非特許文献】
【０００６】
【非特許文献１】Jan  Morovic  "Color  Gamut  Mapping",  2008
【発明の概要】
【発明が解決しようとする課題】
【０００７】
ところで、明度一定の条件下におけるRec.2020色域からRec.709色域への変換では、基準白レベル（8bitレベルで235）を超える黄色で、彩度が著しく低下してしまう。
すなわち、広色域の色度を、明度は一定としつつ彩度を下げて色域変換した場合、黄色の彩度低下が著しく、ＳＨＶ表色系では黄色として表現される色がＨＶ表色系では白に近い色に変換され（白つぶれ状態となり）、映像制作者の制作意図を良好に表現することが困難という問題があった。
【０００８】
このことは、等明度（Ｌ*=104）におけるRec.2020色域とRec.709色域の境界を示す図７を見ると、Rec.2020色域の黄色は、このRec.2020色域の黄色および原点を結ぶ破線矢印と、Rec.709色域の外形線との交点に色域変換されることとなり、黄色の彩度が著しく低下していることが明らかである。
【０００９】
本発明はこのような事情に鑑みなされたものであり、広色域の黄色の色度点を、狭色域の黄色の色度点に変換した場合にも、彩度が著しく低下する状況を回避することができ、映像制作者の制作意図を良好に表現し得る色域変換装置および色域変換方法を提供することを目的とするものである。
【課題を解決するための手段】
【００１０】
本発明の色域変換装置は、
広色域の表色系で取得した映像におけるハイライト部の黄色の色度点を、該広色域の表色系よりも色域が狭い狭色域の表色系の映像における、対応する黄色の色度点に変換する色域変換装置において、
前記広色域の表色系における黄色の色度点を、CIELAB色空間のａ*-ｂ*平面における色度点として設定し、該設定された色度点のａ*値を該ａ*-ｂ*平面上で所定値だけ変化させて、所定のシフト点に移動せしめる色度点移動手段と、
該色度点移動手段によって移動された前記所定のシフト点を、該シフト点および前記ａ*-ｂ*平面における原点を結ぶ同一位相直線と、前記狭色域の外形線との交点に移動せしめて、前記狭色域の対応する黄色の色度点として設定する狭色域対応点変換手段と、
を備えていることを特徴とするものである。
この場合において、前記色度点移動手段は、前記広色域の黄色の色度点の明度が所定の値以上のハイライト部である該色度点を移動させるように構成されていることが好ましい。
【００１１】
さらに、前記色度点移動手段による、前記広色域の黄色の色度点の前記所定のシフト点までの移動量が、下式（Ｃ１）で表されることが好ましい。
Ｐ≒−ｋｂ（tan（(α-90)-tan(β-90))      （Ｃ１）
ここで、ｂは、シフト点のｂ*値であり、ｋは、スケーリングファクタであり、
αは広色域黄色の色度点の色相角であり、βは狭色域黄色の色度点の位相角である。
【００１２】
また、前記広色域をスーパーハイビジョンの色域とし、前記狭色域がハイビジョンの色域とすることが一例として挙げられる。
【００１３】
また、本発明の色域変換方法は、
広色域の表色系で取得した映像におけるハイライト部の黄色の色度点を、該広色域の表色系よりも色域が狭い狭色域の表色系の映像における、対応する黄色の色度点に変換する場合に、
前記広色域の表色系における黄色の色度点を、CIELAB色空間のａ*-ｂ*平面における色度点として設定し、該設定された色度点のａ*値を該ａ*-ｂ*平面上で所定値だけ変化させて、所定のシフト点に移動せしめ、
この後、該所定のシフト点と前記ａ*-ｂ*平面における原点とを結ぶ同一位相直線と、前記狭色域の外形線との交点を、狭色域の対応する黄色の色度点として設定することを特徴とするものである。
【発明の効果】
【００１４】
CIELAB色空間のａ*-ｂ*平面において、一部を除くほとんどの明度でＳＨＶの規格であるRec.2020の黄色（R信号値とG信号値を等しくしたときの色）の色相は98.9度となり、一方、ＨＶの規格であるRec.709の黄色の色相は102.9度となる。
これらの色相の角度は、各々が一定した値となり、各々、この一定した値の色相の色で彩度が最も高くなる。
【００１５】
ところで、色相98.9度の黄色を、この色度点とａ*-ｂ*平面における原点とを結ぶ直線上で移動させ、この直線と狭色域の外形線との交点を、狭色域の対応する黄色の色度点に変換すると、この直線と狭色域の外形線との交点は、図７からも明らかなように、大略台形状、または三角形状をなす、狭色域の外形線において右側部の下方に位置することになる。
【００１６】
そこで、本発明の装置および方法によれば、まず第１に、CIELAB色空間のａ*-ｂ*平面における色度点のａ*値を所定値だけ減少させて、所定のシフト点に移動せしめ、第２に、該所定のシフト点と原点とを結ぶ同一位相直線と、前記狭色域の外形線との交点を、狭色域の対応する黄色の変換点として設定しており、この直線と狭色域の外形線との交点は、大略台形状または三角形状をなす狭色域の外形線において最も彩度が高い上底または頂点に位置させることができる。
【００１７】
広色域の黄色の色点を、狭色域の黄色の色点に変換した場合にも、彩度が著しく低下する状況を回避することができ、映像制作者の制作意図を良好に表現することが可能となる。
なお、色域変換によっても、高彩度を維持できる一方で、色相は４度程度、増加したものとなるが、ハイライト部の黄色のＲ値、Ｇ値は元々飽和気味で、そもそも正しく色相を表現することにあまり意味を持たず、実際の自然画で４°程度の色相の変化は問題とならない。
このように、本発明の色域変換装置および色域変換方法によれば、彩度の著しい低下を回避することができる。
【図面の簡単な説明】
【００１８】
【図１】本発明の実施形態に係る色域変換装置を示すブロック図である。
【図２】本発明の実施形態に係る色域変換方法を示すフローチャートである。
【図３】本発明の実施形態に係る色域変換装置および色域変換方法の作用効果を説明するためのグラフである。
【図４】シフト量のスケーリングファクタ（k）の値を表すグラフである。
【図５Ａ】ａ*値をシフトさせた際のRec.2020色域の境界線（点線）（Ｌ*=96）を示すグラフである。
【図５Ｂ】ａ*値をシフトさせた際のRec.2020色域の境界線（点線）（Ｌ*=100）を示すグラフである。
【図５Ｃ】ａ*値をシフトさせた際のRec.2020色域の境界線（点線）（Ｌ*=104）を示すグラフである。
【図６】CIELAB色空間での色域変換の例を示す概略図である。
【図７】等明度（Ｌ*=104）におけるRec.2020色域とRec.709色域の各領域を示すグラフである。
【発明を実施するための形態】
【００１９】
以下、本発明の実施形態について、上記図面を参照しながら説明する。
【００２０】
スーパーハイビジョン（ＳＨＶ）では、広い色域が規定されているため、ＳＨＶの映像をＨＶの映像として用いる場合には、広い色域から狭い色域への色域変換が必要となる。
本実施形態において、このような色域変換は、図１に示す色域変換装置によって行われる。
すなわち、この色域変換装置１０は、ＳＨＶ広色域の各色度点を、ＨＶ狭色域の色度点に変換する装置であって、信号入力部１１と、色度点移動手段１２と、狭色域対応点変換手段１３と、信号出力部１４とを備えている。
【００２１】
信号入力部１１は、パソコン等から入力されたＳＨＶ用映像信号を色度点移動手段１２に供給するものである。
また、色度点移動手段１２は、CIELAB色空間のａ*-ｂ*平面における色度点のａ*値を所定値だけ減少させて、該色度点を所定のシフト点に移動せしめるものである。
【００２２】
また、狭色域対応点変換手段１３は、色度点シフト手段１２によって移動せしめられた所定のシフト点を、このシフト点および前記ａ*-ｂ*平面における原点を結ぶ同一位相直線と、前記狭色域の外形線との交点に移動せしめて、前記狭色域の対応する黄色の色度点として設定する。
【００２３】
また、信号出力部１４は、狭色域対応点変換手段１３で変換されたＨＶ狭色域の映像信号を装置１０の外部に出力するものである。なお、色域変換装置１０を構成する各部は、実際には、ＣＰＵや各種メモリを含むハード的な手段と、これらのメモリに格納されたプログラムからなるソフト的な手段とを組み合わせて構成される。
ここで、色域を変換するとは、具体的には、ＳＨＶ広色域の各色度点の色度を、所定の変換式や所定の変換テーブルを用いてＨＶ狭色域の色度点の色度に変換することを意味する。
【００２４】
次に、図２に示すフローチャートを用いて、本発明の実施形態に係る色域変換方法を説明するとともに上記色域変換装置１０の動作について説明する。
まず、外部からのＳＨＶの映像信号は、まず信号入力部１１に入力され（Ｓ１）、次に、ＳＨＶの映像信号中の黄色（特にハイライト部）の画素点を抽出し、その画素点の広色域中の色度点について、CIELAB色空間のａ*-ｂ*平面上でａ*値を所定値だけ減少させて、所定のシフト点に移動せしめる（Ｓ２）。
【００２５】
次に、所定のシフト点を、後述する手法を用いて、狭帯域の対応する同一色相の黄色の色度点に変換する（Ｓ３）。
これにより、黄色（特にハイライト部）の画素点について、画素点の彩度が著しく低下するという事態を回避しつつ、広色域の色度点から狭色域の色度点への変換が行われる。
【００２６】
この後、黄色の画素についての色度点の変換が行われた映像信号は、次段に出力される（Ｓ４）。なお、黄色以外のその他の色相の画素についての、広色域から狭色域への色域変換処理は、本色域変換装置１０において上記の変換と同時に行ってもよいし、別途の処理工程において行っても良い。
【００２７】
以下、上記Ｓ２（ステップ２）および上記Ｓ３（ステップ３）の動作について、図３および図４を用いて、より詳細に説明する。なお、図３は、明度Ｌ*を１０４に設定した場合の例を示すものである。
【００２８】
ステップ２では、CIELAB色空間のａ*-ｂ*平面におけるＳＨＶ黄色の色度点２１のａ*値を、図３に示すように、所定値だけ減少（負方向にシフト）させて、シフト点２２に移動させる。
図３においては、大略台形状のＳＨＶ（Rec.2020）色域の外形線と、これよりも全体的に縮小された、三角形状のＨＶ（Rec.709）色域の外形線が示されており、ＳＨＶ黄色の色度点２１は、ａ*軸から原点２５周りの角度で98.9度、かつＳＨＶ（Rec.2020）色域の外形線の上底上の点として位置する。
【００２９】
このＳＨＶ黄色の色度点２１（色域の外形線が三角形状の場合は、三角形の頂点に合致する）をａ*軸と平行に図上で左方向に移動させてａ*値を減少させ、ａ*軸から原点２５周りの角度で102.9度になるように位置させる。この位置させた点がシフト点２２である。
【００３０】
上記色度点２１から上記シフト点２２までのシフト量Ｐは、下式（Ａ１）で表される。
Ｐ≒−ｋｂ(tan(102.9-90)-tan(98.9-90))      （Ａ１）
ここで、ｂは、シフト点２２のｂ*値であり、ｋは、スケーリングファクタである。
【００３１】
スケーリングファクタｋは、図４に示す例では、明度が０〜９３程度までは０に固定され、９３程度〜１００の間で直線的に１まで立ち上がり、１００以上では１に固定される。このような形状のスケーリングファクタｋを上式（１）の要素とした結果、黄色の明度が極めて高い領域（ハイライト部）のみで、上記シフト処理が行われるように設定される。
【００３２】
また、ステップ３では、このようにして設定されたシフト点２２を、ＨＶ色域の色度点に変換する。
すなわち、図３の例で示すように、シフト点２２とａ*-ｂ*平面の原点２５とを直線で結んで得られた直線ｄが、ＨＶ色域の外形線と交差する点を変換点Ａ（２３）とし、シフト点２２をこの変換点Ａ（２３）に変換する。
【００３３】
このとき変換点Ａ（２３）は、三角形状をなす、ＨＶ色域の外形線の頂点に位置することになる（ｂ*値が大きいほど彩度が高い）ため、明度の高い黄色の色度点をＨＶ色域の色度点に変換した場合にも、変換点の彩度が著しく低下する状況を回避することができ、高い彩度を持つことが重要となる明度が高い黄色の領域についても、映像制作者の制作意図を良好に表現することが可能となる。
【００３４】
これに対し、本実施形態のようなシフト処理を行わない従来技術においては、ＳＨＶ黄色の色度点２１とａ*-ｂ*平面の原点２５とを直線で結んで得られた図３の線分ｃが、ＨＶ色域の外形線と交差する点を変換点Ｂ（２４）とし、ＳＨＶ黄色の色度点２１をこの変換点Ｂ（２４）に変換している。このため、黄色の変換点の彩度が著しく低下してしまい、映像制作者の制作意図を良好に表現することが難しい。このような従来技術との比較からも、本実施形態の有用性は明らかである。
【００３５】
また、黄色は色相が多少ずれても、知覚されにくい、という特性を持つため、上述したように、ＳＨＶ黄色の色度点２１からシフト点２２までの移動量が数度程度であれば、映像制作者が、制作意図と異なったとの感覚を持つことはない。
なお、本実施形態においては、図３に示す線分ｄが、ＨＶ色域の外形線の上底（色域の外形線が大略台形状の場合）または頂点（色域の外形線が三角形状の場合）と交差し得るように、ＳＨＶ黄色の色度点２１からシフト点２２までの移動量を予め設定しておき、このシフト量を、テーブルまたは数式の状態でメモリに記憶させておくことが望ましい。
【００３６】
図５Ａ、５Ｂ、５Ｃは、明度Ｌ*を、各々、９６、１００、１０４に設定した場合において、ＳＨＶ色域の外形線と、ＨＶ色域の外形線と、シフト処理を行った後のＳＨＶ色域の外形線（破線で示されている）と、を示す概略図である。各図において、ＳＨＶ黄色の色度点２１と変換点Ａ（２３）の位置関係が示されており、変換点Ａ（２３）は、大略台形状をなすＨＶ色域の外形線の上底、もしくは三角形状をなすＨＶ色域の外形線の頂点に位置することになる。いずれも、変換後の彩度が確保されていることが明らかである。
【００３７】
なお、上記実施形態においては、ＳＨＶ黄色の色度点２１をａ*軸と平行に図上で左方向に移動させてａ*値を減少させる処理を行うようにしているが、変換する前後の色域によっては、色度点２１をａ*軸と平行に図上で右方向に移動させてａ*値を増加させる処理を行う場合があるが、そのような場合にも上記実施形態と同様の効果を奏することができる。
【符号の説明】
【００３８】
１０      色域変換装置
１１      信号入力部
１２      色度点移動手段
１３      狭色域対応点変換手段
１４      信号出力部
２１      ＳＨＶ黄色の色度点
２２      シフト点
２３      変換点Ａ
２４      変換点Ｂ
２５      原点
【図１】
0006374743.tif 000002
【図２】
0006374743.tif 000003
【図３】
0006374743.tif 000004
【図４】
0006374743.tif 000005
【図５Ａ】
0006374743.tif 000006
【図５Ｂ】
0006374743.tif 000007
【図５Ｃ】
0006374743.tif 000008
【図６】
0006374743.tif 000009
【図７】
0006374743.tif 000010